(57)【要約】【課題】分散処理システムの同期立上げ処理を高速に行う。【解決手段】ネットワークで接続された複数の機器からなり、機器が立上げ処理の一部をＴＣＰ接続の下で連携して行う分散処理システムにおいて、各機器が、ＵＤＰパケットが送信可能になると速やかに、夫々のＩＰアドレスと、待受けポート番号と、機器を識別するための番号とを含む接続準備完了メッセージを、ＵＤＰパケットを用いて前記ネットワークのブロードキャストアドレス宛てに、接続が必要な全ての機器との接続が完了するまで繰返し送信すると共に、前記メッセージの送信元機器に対し、前記メッセージが含むＩＰアドレスか待受けポートの少なくとも一つを利用してＴＣＰ接続を試行する。また前記メッセージの送信の際に、自己へのＩＰアドレスの割当てを動的に行う。【選択図】図４
2004088471.tif 000002
【特許請求の範囲】
【請求項１】
複数のネットワーク機器と、前記複数のネットワーク機器を互いに接続するネットワークとからなり、前記複数のネットワーク機器が立上げ処理の一部を同期して行う分散処理システムであって、
前記複数のネットワーク機器の夫々が、ＵＤＰパケットが送信可能になると速やかに、夫々のＩＰアドレスと、待受けポート番号と、ネットワーク機器を識別するための番号とを含む接続準備完了メッセージを、ＵＤＰパケットを用いて、前記ネットワークのブロードキャストアドレス宛てに、接続が必要な全てのネットワーク機器との接続が完了するまで繰返し送信し、
前記複数のネットワーク機器の少なくとも一つが、受信した前記接続準備完了メッセージが含む前記番号のネットワーク機器に対し、受信した前記接続準備完了メッセージが含む前記ＩＰアドレスか待受けポートの少なくとも一つを利用してＴＣＰ接続を試行することを特徴とする分散処理システム。
【請求項２】
前記一部の立上げ処理を行うのに必要な接続が確立された時点で、前記一部の立上げ処理を開始することを特徴とする請求項１記載の分散処理システム。
【請求項３】
前記複数のネットワーク機器の少なくとも一つが、自身のＩＰアドレスが取り得る範囲と、他のネットワーク機器から受信した前記接続準備完了メッセージが含むＩＰアドレスとを記憶し、
自身が送信する接続準備完了メッセージが含むＩＰアドレスを、直前の自身のＩＰアドレス以上で、且つ、記憶している他のネットワーク機器のＩＰアドレスに重複せず、且つ、記憶している前記範囲の内で最小のＩＰアドレスに設定することを特徴とする請求項１記載の分散処理システム。
【発明の詳細な説明】
【０００１】
【発明の属する技術分野】本発明は、ネットワークで接続された複数の機器からなる分散処理システムに関し、、特にその立上げ処理を機器間で同期して行う分散処理システムに関する。
【０００２】
【従来の技術】一般に、ネットワークにより物理的に接続され、ＴＣＰ（Ｔｒａｎｓｍｉｓｓｉｏｎ　　ｃｏｎｔｒｏｌ　ｐｒｏｔｏｃｏｌ）或いはＵＤＰ（Ｕｓｅｒ　Ｄａｔａｇｒａｍ　　Ｐｒｏｔｏｃｏｌ）を用いて通信するネットワーク機器からなる、分散処理システムが知られている。以下に、上記分散処理システムの各ネットワーク機器の電源投入後の立上げ処理の一例を説明する。ただし、各ネットワーク機器はほぼ平等で、立上げ処理において主導的役割を果たすような所謂サーバは存在しないものとする。
【０００３】電源投入後の初期段階では、個々のネットワーク機器（以下機器と略す）では内部のＣＰＵ（Ｃｅｎｔｒａｌ　　Ｐｒｏｃｅｓｓｏｒ　　Ｕｎｉｔ）が独立して動作し、夫々の機器単体で実行可能な第１の初期化処理を行う。その次に、データ通信を行いながら、他の機器と同期して為される第２の初期化処理を行う。機器の立上げ処理を素早く行うためには、各装置においてＴＣＰ／ＩＰ通信が利用可能となるのに合わせ、出来るだけ早く他機器とＴＣＰリンクを確立し、第２の初期化処理を開始するようにしている。
【０００４】また、同様の分散処理システムの立上げ処理に関する従来技術として、特開２０００−７８１７１号公報「産業設備を運転するためのシステムの機器にコンピュータアドレスを割り当てる方法」がある。この従来技術は、立上げ処理に必要なＩＰアドレスの決定をＵＤＰの同報通信機能を利用して行うものである。
【０００５】
【発明が解決しようとする課題】しかしながら以上従来技術は、機器のＣＰＵ負荷の増加により他の初期化処理を妨げることなく、最短の時間でＴＣＰリンクを確立すつことは困難であった。つまり、各機器の担当機能やハードウェア構成の違いにより、ネットワークデバイスやＴＣＰ／ＩＰ処理部の初期化処理が終了するまでの時間も異なり、一方の機器のＣＰＵ（ＣＰＵ１）がＴＣＰ／ＩＰ通信可能になっても、もう一方（ＣＰＵ２）では通信が可能とは限らない。この場合、ＣＰＵ１からＣＰＵ２へのＴＣＰ接続処理は失敗する。可能な限り早くＴＣＰ接続を確立しようとすると、ＣＰＵ２が通信可能になるまで、ＣＰＵ１は繰り返し接続処理を行う必要がある。しかしこれはＣＰＵ資源の無駄であり、特にＴＣＰ接続中はエラー制御やフロー制御が可能なように複雑な処理が必要とされるので、並列で行われている別の初期化処理を遅らせ、機器の立上げ時間が長くなるという問題があった。或いは、無駄なＣＰＵ時間を消費しないように、ＴＣＰ接続処理をある間隔を置いて行うこともできるが、この場合は最短の時間でＴＣＰ接続を確立できないという問題があった。
【０００６】本発明は、上記実情に鑑みて為されたものであって、ＣＰＵに負担をかけることなくより短い時間でＴＣＰリンクを確立して、立上げ処理を高速に行う無線基地局装置を提供することを目的とする。
【０００７】
【課題を解決するための手段】上記の目的を達成するために本発明は、請求項１では、複数のネットワーク機器と、前記複数のネットワーク機器を互いに接続するネットワークとからなり、前記複数のネットワーク機器が立上げ処理の一部を同期して行う分散処理システムであって、前記複数のネットワーク機器の夫々が、ＵＤＰパケットが送信可能になると直ちに、夫々のＩＰアドレスと、待受けポート番号と、ネットワーク機器を識別するための番号とを含む接続準備完了メッセージを、ＵＤＰパケットを用いて、前記ネットワークのブロードキャストアドレス宛てに、接続が必要な全てのネットワーク機器との接続が完了するまで繰返し送信、
前記複数のネットワーク機器の少なくとも一つが、受信した前記接続準備完了メッセージが含む前記番号のネットワーク機器に対し、受信した前記接続準備完了メッセージが含む前記ＩＰアドレスか待受けポートの少なくとも一方を利用してＴＣＰ接続を試行することを特徴とする分散処理システム。
【０００８】前記一部の立上げ処理を行うのに必要な接続が確立された時点で、前記一部の立上げ処理を開始することを特徴とする請求項１記載の分散処理システム。
【０００９】前記複数のネットワーク機器の少なくとも一つが、自身のＩＰアドレスが取り得る範囲と、他のネットワーク機器から受信した前記接続準備完了メッセージが含むＩＰアドレスとを記憶し、
自身が送信する接続準備完了メッセージが含むＩＰアドレスを、直前の自身のＩＰアドレス以上で、且つ、記憶している他のネットワーク機器のＩＰアドレスに重複せず、且つ、記憶している前記範囲の内で最小のＩＰアドレスに設定することを特徴とする請求項１記載の分散処理システム。
【００１０】
【発明の実施の形態】≪第１の実施の形態≫以下、図面を参照して本発明の第１の実施の形態を説明する。なお、以下で説明する機能実現手段は、当該機能を実現できる手段であれば、どのような回路または装置であっても構わず、単数或いは複数の要素から構成されてもよく、また機能をソフトウェア或いはハードウェアのどちらで実現してもよい。
【００１１】図１は、本発明の実施の形態に係る無線基地局装置のハードウェア構成図である。図１に示すように、無線信号の送受を行う無線部１と、通話に伴う信号処理などの制御を行う制御部２と、電話網上位装置（図示せず）との接続を行う有線伝送路部３とを備える。
【００１２】図２は、制御部２の内部構成図である。制御部２は、カード２１、２２、２３で構成されている。各カードは夫々、ＣＰＵと、ネットワークポートと、メモリとを備える。各カードは、無線基地局装置で必要な制御を分担しており、分担に応じて無線部１や有線伝送路３とのインターフェース（図示せず）も備える。
【００１３】また各カードにおいて、ＣＰＵ２１ａ、２２ａ、２３ａは、カードが分担する主要な制御を行う。通常、各カードのＣＰＵは同等の処理能力を有する。ネットワークポート２１ｂ、２２ｂ、２３ｂは、各カードをネットワーク　　ＬＡＮ２４を介して互いに接続する。これによりカード間の連携処理に必要なデータ通信をＴＣＰ接続を用いて行う。メモリ２１ｃ、２２ｃ、２３ｃは、ＴＣＰ接続を確立すべき他カードのカード番号、ＩＰアドレス、ポート番号、接続方向（接続処理をどちらが行うか）、接続状態を接続テーブルとして記憶する。またメモリ２１ｃ、２２ｃ、２３ｃは、自カードのカード番号、ＩＰアドレス、ポート番号も記憶する。カード番号は、各カードを識別するために各カードの機能分担に応じて割当てるものであって、本実施例の形態においては、各カードで重複しないように割当てられる。接続テーブルを記憶するメモリには通常、不揮発性メモリーを用いる。
【００１４】図３は、メモリ２１ｃが記憶する接続テーブルの構成図である。図３において、カード２１はカード２２、２３とＴＣＰ接続するため、カード２１とカード２３へのエントリを備え、カード２１からカード２２、カード２３からカード２１の向きで接続する設定となっている。また接続テーブルにはカード２２とカード２３間のリンクに関する情報は存在しないが、これはカード２１にとって不要なためである。
【００１５】図４は、接続処理のフローチャートである。以下カード２１での処理を処理フローに沿って説明する。ただし他のカードの処理も同様であり、夫々のＣＰＵによりほぼ並行して行われる。
【００１６】まず、ＣＰＵ２１ａは立上げ処理を開始すると、夫々のカード単体で実行可能な第１の立上げ処理として、他カードとのＴＣＰやＵＤＰ接続をアプリケーションが利用可能になるようにソケットの準備を行う（Ｓ１０１）。この時、当該接続処理以外の立上げ処理も並列に行われてもよい。次に、接続テーブルの接続状況欄を全て未接続に設定する（Ｓ１０２）。
【００１７】続いて、各カードが接続されたネットワーク　ＬＡＮ２４のブロードキャストアドレス宛てにＵＤＰプロトコルを用い、図５に図示するような接続準備完了メッセージを送る（Ｓ１０３）。このメッセージはカード２１がＴＣＰ接続可能になったことをカード２２、２３に通知するために用いられる。本メッセージにはカード２１の番号（１）の他に、カード２１のＩＰアドレス、及び当該ＴＣＰ接続手順で使用するポート番号（６３００）が備えられる。これにより、カード２１がＴＣＰ接続時に待受けるＩＰアドレス、ポート番号が、カード２２、２３がメモリに記憶しているカード２１のＩＰアドレス、ポート番号の初期値と異なる値に変更されている場合にも、本メッセージを受信することで正しいアドレス、ポート番号を知ることができる。また、本メッセージはＵＤＰプロトコルのため、事前のリンク設定が不要であり、また、ブロードキャストを用いるため、１回の送信でＬＡＮ上の全てのカードに対し一度にメッセージを送信できる。
【００１８】Ｓ１０３において接続準備完了メッセージは、Ｓ１０１で行ったＵＤＰ接続のための準備が完了しＵＤＰパケットが送信可能になると速やかに行われ、ＴＣＰ接続のための準備の完了を待つ必要なない。速やかとは、後述する送信間隔と同程度かそれ以下の時間で行うものであって、通常容易に達成できる。また、本メッセージは接続テーブルに存在する全てのカードとの接続が完了するまで、つまり接続状況欄が全て接続済みになるまで、繰り返し送信される。ただし、一回目の送信が終了した時点で次のＳ１０４の処理は開始し、２回目以降の送信は他の処理と並列で行われる。送信間隔は任意（例えば１０ｍｓ）であるが、一定周期よりもある程度ランダムなほうが良い。乱数発生源の初期値として各カードで異なる値（例えばカード番号１〜３）を用いることができる。
【００１９】Ｓ１０３の一回目の送信の後、接続テーブルを参照し、自カード２１から接続すべきカードがあるか確認する（Ｓ１０４）。接続すべきカードがある場合、それらに対して並列に、ＴＣＰ接続を試行する（Ｓ１０５）。以降の処理も接続先カード夫々に対し独立に並列処理される。
【００２０】Ｓ１０５の試行の結果は３通りあるが、接続成功と失敗により２つに条件分岐する（Ｓ１０６）。つまり結果１つ目の、接続先のカード２２が接続準備ができていない場合、２つ目の、カード２２が初期値と異なるＩＰポートアドレス、ポート番号で待受けている場合は、いずれも接続に失敗する。一方、結果３つ目の、カード２１よりカード２２が既に接続可能となっている場合は接続に成功する。
【００２１】接続に失敗したと判断された場合、接続先のカード２２からの接続準備完了メッセージを待つ（Ｓ１０７）。メッセージを受信したら、接続テーブルのＩＰアドレス、ポート番号を更新する（Ｓ１０８）。
【００２２】そして、Ｓ１０５にジャンプし、メッセージを送信した当該カードに再度接続を試みる。例えば、カード２１の接続テーブルと異なるＩＰアドレス或いはポート番号でカード２２が待受けている場合、カード２１からカード２２への接続処理は（タイムアウト等で）失敗するが、カード２２からの接続完了メッセージを受信して正しい接続先に修正されれば、接続は通常、成功する。
【００２３】次のＳ１０６において接続成功と判断されると、接続テーブルの接続状況欄に接続済をマークする（Ｓ１０９）。
【００２４】いずれかのカードとの接続が完了すると、残りのカードの接続が全ての終了するまで、待機する（Ｓ１１０）。そして、全てのカードとの接続が終了したら、Ｓ１０３により今までバックグランドで行っていた接続準備完了メッセージ送信処理を終了し（Ｓ１１１）、ＴＣＰ接続処理は完了する。
【００２５】以上の処理において、Ｓ１０３以降に他のカードからＴＣＰ接続を受けた場合は、図４のフローとは並列に、或いはフローを中断して他のカードとの接続処理に応じる。なお、各カードのＩＰアドレス、待受けポート番号が変更になった場合を除き、接続準備完了メッセージは通常１ないし２回送信するだけで前接続が完了するはずであるが、信頼性を提供しないＵＤＰプロトコルを用いるため、ネットワーク上でのパケット衝突などにより相手カードにメッセージが読み取られないことがあるため、全接続が完了するまで繰り返しメッセージを送信するものである。
【００２６】図５は、準備完了メッセージの内容構成図であり、カード２１が送信するＩＰパケットを示している。受信完了メッセージは図示した１ＩＰパケットから構成される。ＩＰパケットの中にＵＤＰパケットがカプセル化されており、ＵＤＰパケットのデータ部分に、自カード番号（１）及び、ＴＣＰ接続で使用するポート番号（６３００）が格納される。図５において括弧内の値は内容値の一例であり、特に指示が無いものは１０進表記してある。また例が示されていない部分は、一般的なＵＤＰ／ＩＰパケットに準ずる。送信元ポート、宛先ポート、及びカード２２、２３が本パケットを待受けるポート番号は予め決めておく。通常、宛先ポートと待受けポートは全てのカード間で同一（４５０００）にする。送信元ポートも宛先ポート、待受けポートに一致させる（４５０００）とよい。
【００２７】本パケットはネットワーク上ではネットワークフレームでカプセル化され伝達される。ネットワークフレームが備える送信元ネットワーク（ＭＡＣ）アドレスとＩＰパケットヘッダが備える送信元ＩＰアドレスとを、本フレームを受信したカードが関連付けて記憶することで、データリンク層におけるＩＰアドレスからネットワークアドレスへの変換に利用することができる。
【００２８】本実施例の形態において、カード番号は各カードで重複しないように割当てられることが望ましいが、各カードのネットワークポートが備えるネットワークアドレスをカード番号と併せて用いることでカード番号が重複していても各カードを識別することができる。
【００２９】以上の処理により、ＴＣＰ接続のリトライを押させつつ、可能な限り早く各カード間を接続することができる。特に本実施の形態である無線基地局においては、障害発生などにより制御部の再起動が必要になった場合により短い時間で再起動するので、普通時間をより短くできる効果がある。
【００３０】≪第２の実施の形態≫以下、図面を参照して本発明の第２の実施の形態を説明する。本実施の形態は、自カードのＩＰアドレスの事前設定を不要にした点で第１の実施の形態と異なる。なお、本実施の形態の説明に当たり第１の実施の形態の構成と同一構成部分には、同一符号のみを付してその説明を省略する。
【００３１】図６に、本実施の形態における、メモリ２１ｃ、２２ｃ、２３ｃが記憶する接続テーブルを示す。接続テーブルは接続方向（接続処理をどちらが行うか）と、優先接続とを、初期値として記憶する。優先接続は、他のカードと連携して初期化処理を行う必要がある場合にその連携処理（第２の初期化処理）に先駆けてＴＣＰ接続を確立するため、第２の初期化処理の開始よりも優先して処理することを意味するフラグであり、論理値（ブーリアン）である。またＩＰアドレス、ポート番号、接続状況を記憶する領域は第１の実施の形態同様に用意する。
【００３２】本実施の形態における接続処理は、第１の立上げ処理（夫々のカード単体で実行可能な処理）と、第２の立上げ処理（カード間で連携して行う処理）に分割される。図７に、第１の立上げ処理で行う接続処理のフローチャートを示す。以下カード２１での処理を処理フローに沿って説明する。
【００３３】Ｓ２０１からＳ２０２は、第１の実施の形態におけるＳ１０１からＳ１０２と同一の処理を行う。Ｓ２０３は接続準備完了メッセージの繰返し送信を開始するものであるが、後で説明するように、送信する際に自カード２１のＩＰアドレスが変化することがある点でＳ２０４と異なる。
【００３４】次に、接続先テーブルを検査し、自カード２１から優先接続が必要なカードの有無に応じて分岐する（Ｓ２０４）。自カード２１から優先接続が必要なカードとは、接続テーブルにおいて接続の向きが１→Ｘ（Ｘは任意）で且つ優先接続のフラグが立っているカードである。
【００３５】自カード２１から優先接続が必要なカードがある場合、他のカードからの接続準備完了メッセージの受信を待つ（Ｓ２０５）。メッセージを受信すると、メッセージに含まれる送信元ＩＰアドレス、ポート番号及びカード番号を用いて、接続先テーブルを更新する（Ｓ２０６）。
【００３６】次に、Ｓ２０６での更新が、自カード２１から接続必要なカードであり且つ未接続かどうか判断し、接続必要でないか接続済みの場合は、Ｓ２０５へ分岐する（Ｓ２０７）。
接続必要で且つ未接続の場合は、Ｓ１０５同様にＴＣＰ接続を試行する（Ｓ２０８）。このとき、Ｓ２０３で自カードのＩＰアドレスが更新されている場合、更新された新しいアドレスを使用する。
【００３７】そして、接続が成功した場合は接続先テーブルを接続済みに更新し（Ｓ２０９）、Ｓ２０４にジャンプする。
【００３８】Ｓ２０４において優先接続が必要なカードがない場合、全てのカードとＴＣＰ接続が終了しているか接続先テーブルを検査し（Ｓ２１０）、接続済みの場合は、Ｓ１１０同様に接続準備完了メッセージの送信を終了する（Ｓ２１１）。これにより第１の立上げ処理における接続処理を完了する。
【００３９】図９に、Ｓ２０３の処理の内部のフローチャートを示す。本フローチャートの処理は呼び出した図７の処理の子プロセスとして図７の処理と並列に処理される。本実施例において、カード２１を含む全てのカードは、自カードが取りうるＩＰアドレスの範囲を各メモリに記憶しており、カード２１の取り得るアドレスは１９２．１６８．１．＊とする。＊は通常０から２５５までの値を示すが、上記例のアドレスの下位８ビット分の場合は１から２５４までの値を取り得る。
【００４０】本処理においてまず、カード２１の取り得るアドレス数に応じたメモリを確保し、図１０に示すアドレス表を作成する（Ｓ２０３１）。アドレス表において、取り得るアドレスは昇順に並べられ、夫々のアドレスについてネットワーク上で既に使われているかどうかを示すフラグが設けられている。
【００４１】次に、自カード２１のＩＰアドレスの初期値を仮設定する（Ｓ２０３２）。初期値には、自カード２１の取り得る最小のアドレスにカード番号１を足した、１９２．１６８．０．２を設定する。次に、接続準備完了メッセージを送信する間隔を設定する（Ｓ２０３３）。設定間隔は、接続準備完了メッセージを送信する間隔の各カード共通初期値（例えば１０ｍｓ）にカード番号１に相当する時間を足した値（例えば１１ｍｓ）にする。
【００４２】次に接続準備完了メッセージをブロードキャストアドレス宛てにＵＤＰプロトコルを用いて送信し（Ｓ２０３４）、タイマを始動する（Ｓ２０３５）。
【００４３】タイマが終了するより前に、図７のＳ２１１より接続準備完了メッセージ送信終了指令を受け取った場合（Ｓ２０４０）、本処理は終了する。
【００４４】或いは、タイマが終了するより前に、他カードからの接続準備完了メッセージを受信した場合（Ｓ２０３７）、受信したメッセージの送信元ＩＰアドレスは既に使われているとして、アドレス表に該当するＩＰアドレスがあれば、そのフラグを使用済みに設定する（Ｓ２０３８）。そして、現在自カード２１が使用しているアドレス値以上で、使用済みでない最小のアドレスを新しいＩＰアドレスとして仮設定し（Ｓ２０３９）、Ｓ２０３４にジャンプする。仮設定（Ｓ２０３９）は、現アドレスを他のカードが使用していない場合、結果的に現アドレスを変更しない。また、自カードの取り得るアドレス範囲によりこれ以上アドレス値を大きくできなくなったときは、自カードの取り得るアドレス範囲の最小値に戻る。
【００４５】送信終了指令と、メッセージのいずれも受信せずタイマが終了した（Ｓ２０３６）場合は、そのままＳ２０３４にジャンプする。以上の処理により、接続準備完了メッセージ繰返し送信を行う。
【００４６】図８に、第２の立上げ処理で行う接続処理のフローチャートを示す。Ｓ３０１からＳ３０６の処理は、図７のＳ２０４からＳ２０９とほぼ同様であり、Ｓ３０７からＳ３０８の処理は図４のＳ１１０からＳ１１１と同一である。ただし、Ｓ３０１が、自カード２１から接続が必要なカードを優先接続のカードに限定しない点でＳ２０４と異なる。これにより、第１の立上げ処理で行わなかった自カードからのＴＣＰ接続を行い、他カードからの接続を待って、全ての接続処理を完了する。
【００４７】以上の処理により、予めＩＰアドレスを各カードに割当てなくとも、可能な限り早く各カード間を接続できるので、カードの交換や増設が容易に早くできる。
【００４８】上記の第１及び第２の実施の形態において、ネットワークポート２１ｂ、２２ｂ、２３ｂなどが、ＬＡＮから受信したパケットをバッファリングしている場合、Ｓ１０５でＴＣＰ接続を試行する前に、バッファが記憶しているＵＤＰパケットを検査して接続先のカードのＩＰアドレス、ポート番号が通知されていないか予め確認するようにしてもよい。
【００４９】
【発明の効果】本発明の分散処理システムによれば、ＣＰＵに負担をかけることなくより短い時間でＴＣＰリンクを確立して、立上げ処理を高速に行うことができる。
【図面の簡単な説明】
【図１】本発明による分散処理システムの第一及び第二の実施の形態の機器構成図。
【図２】図１の機器構成図の一部詳細図。
【図３】第１の実施の形態の分散処理システムのメモリ２１ｂが記憶する接続テーブルを示す説明図。
【図４】第１の実施の形態の分散処理システムの立上げ処理を示すフローチャート。
【図５】第１の実施の形態の分散処理システムが用いる接続準備完了メッセージを構成するＵＤＰ／ＩＰパケットのデータ構成図。
【図６】第２の実施の形態の分散処理システムのメモリ２１ｂが記憶する接続テーブルを示す説明図。
【図７】第２の実施の形態の分散処理システムの第１の立上げ処理を示すフローチャート。
【図８】第２の実施の形態の分散処理システムの第２の立上げ処理を示すフローチャート。
【図９】図７の接続準備完了メッセージ繰返し送信開始の詳細動作を示すフローチャート。
【図１０】第２の実施の形態の分散処理システムにおいてカード２１が用いるアドレス表を示す説明図。
【符号の説明】
１　無線部
２　制御部
３　優先伝送路部
２１〜２３　カード
２１ａ〜２３ａ　ＣＰＵ
２１ａ〜２３ａ　メモリ
２１ａ〜２３ａ　ネットワークポート
２４　ネットワーク　ＬＡＮ
【図１】
2004088471.tif 000003
【図２】
2004088471.tif 000004
【図３】
2004088471.tif 000005
【図４】
2004088471.tif 000006
【図５】
2004088471.tif 000007
【図６】
2004088471.tif 000008
【図７】
2004088471.tif 000009
【図８】
2004088471.tif 000010
【図９】
2004088471.tif 000011
【図１０】
2004088471.tif 000012